(57)【特許請求の範囲】
【請求項１】
電子部品が実装された電子回路基板を収納する基板ケースを遊技機に取り付けてロックするためのロック機構であって、
前記基板ケースの両端部をそれぞれ遊技機筺体に固定するための第１の固定装置および第２の固定装置とを備え、
前記第１の固定装置は、
遊技機筺体に固定され前記基板ケースの一端部を裏面側から支持するための第１の固定具と、
該第１の固定具の一端に回動可能に支持され、この支持部を中心に回動して前記第１の固定具上に支持された前記基板ケースの表面側に被さることにより、前記第１の固定具と協働して前記基板ケースを遊技機筺体に固定するための第２の固定具と、
前記第１の固定具と前記第２の固定具との間に前記基板ケースの一端部を挟持した状態で、前記第１の固定具と前記第２の固定具とを互いにロックするためのロック片を有するロック装置とを備え、
前記第１の固定具は、
遊技機筺体に固定するためのベース部と、
前記ロック装置のロック片が係止可能な第１の透孔を穿設された、該ベース部から立ち上がる第１の立ち上がり部とを備え、
前記第２の固定具は、
前記第１の固定具の表面側に被さる被覆部と、
該第１の固定具に被さった状態で前記第１の立ち上がり部の外側に位置するように、該被覆部から立ち下がる立ち下がり部とを備え、
前記ロック装置のロック片は、
前記第２の固定具が前記第１の固定具に被さった状態で、前記第１の立ち上がり部の内側から前記第１の透孔内に向かって進退するように設けられたことを特徴とする遊技機の基板ケースのロック機構。
【請求項２】
前記ロック装置は前記第２の固定具に取り付けられてなることを特徴とする請求項１記載の遊技機の基板ケースのロック機構。
【請求項３】
前記第１の固定具には、
この第１の固定具に前記第２の固定具が被さった状態で前記第２の固定具に設けられた立ち下がり部の外側に位置するように、前記ベース部から立ち上がる第２の立ち上がり部を設け、
該第２の立ち上がり部には、前記第１の透孔と一連となって前記ロック装置のロック片が係止可能な第２の透孔を設け、
前記第２の固定具に設けられた立ち下がり部には、前記第１の透孔および前記第２の透孔と一連となって、前記ロック装置のロック片が挿通可能な挿通孔を設けたことを特徴とする請求項１または２記載の遊技機の基板ケースのロック機構。
【請求項４】
前記ロック装置は、前記ロック片が前記第２の固定具の回動方向とほぼ直交する方向に回動し、前記第１の透孔と前記挿通孔と前記第２の透孔とに一連に挿通係止されることにより、前記第１の固定具と前記第２の固定具とを互いにロックするものであり、
前記第２の透孔は、前記第１の透孔と比較して、前記ロック片の回動方向に沿った長さが短尺であることを特徴とする請求項３記載の遊技機の基板ケースのロック機構。
【請求項５】
前記第２の固定装置は、
前記基板ケースの他端部を表裏両面から支持することにより、前記基板ケースの他端部を遊技機筺体に固定することを特徴とする請求項１〜４のうちいずれか１項記載の遊技機の基板ケースのロック機構。
【発明の詳細な説明】
【０００１】
【発明の属する技術分野】
本発明は、電子部品が実装された電子回路基板を収納する基板ケースを遊技機筺体に取り付けてロックするためのロック機構に関し、特に基板ケースの不正な着脱を防止できるようにしたものである。
【０００２】
【従来の技術】
従来、この種の基板ケースは、スロットマシンやパチンコ機等の遊技機の筺体内に取り付けられており、これらの遊技機における遊技を電気的に制御していた。すなわち、スロットマシンやパチンコ機等の遊技機では、マイクロコンピュータを搭載した電子回路を基板ケース内に収納し、この電子回路により遊技動作を制御しており、電子回路内の記憶素子に記憶されているプログラムやデータに基づいて大当たりを発生させたり、賞としてのメダルやパチンコ玉を払い出す等の遊技動作を制御していた。
【０００３】
上述したように、各遊技機における大当たりの発生等の遊技動作は基板ケース内に収納された電子回路により制御されている。また、大当たりの発生確率等を制御するデータは、電子回路上に設けられたＲＯＭに記憶されている。したがって、このＲＯＭを記憶データが異なるＲＯＭに交換することで、当該遊技機における大当たりの発生確率等を変更することが可能である。
【０００４】
ところで、ＲＯＭ等を交換することにより、当該遊技機における大当たりの発生確率を高めることができることから、基板ケースあるいはＲＯＭ自体が不正に交換されるおそれがあった。従来から、このような不正を防止するために、基板ケースを封印するとともに、遊技機に対して基板ケースを取り付ける装置にロック機構を設け、ロック機構を操作可能な鍵等を所有している管理者のみが基板ケースの交換を行えるようにしていた。
【０００５】
例えば、従来の基板ケースのロック機構は、遊技機に固定され基板ケースの一端部を裏面側から支持する第１の固定具と、この第１の固定具の一端に回動可能に支持され、支持部を中心に回動して第１の固定具上に支持された基板ケースの前面側に被さることにより、第１の固定具と対向して基板ケースを遊技機に固定するための第２の固定具とを備えている。
【０００６】
また、第１の固定具と第２の固定具の側面には、それぞれ対向する立ち上がり部および立ち下がり部を設け、立ち上がり部および立ち下がり部には、それぞれ対向して一連となる透孔を設け、この透孔内にロック装置のロック片を一連に係止させることにより、第１の固定具と第２の固定具とをロックして、遊技機に基板ケースを固定していた。
【０００７】
【発明が解決しようとする課題】
しかし、上述した従来の基板ケースのロック機構では、第１の固定具に設けられた立ち上がり部が、第２の固定具に設けられた立ち下がり部よりも外側に位置していた。そして、第１の固定具に設けられた立ち上がり部と第２の固定具に設けられた立ち下がり部との間にはどうしても若干の隙間が生じてしまうことから、この隙間に、ドライバ等の工具を差し込んでこの隙間を広げ、第１の固定具の立ち上がり部に設けられた透孔に係止しているロック片を外し、ロック機構によるロックを解除するという行為を防止することが困難であった。
【０００８】
また、第１の固定具と第２の固定具との間に生じた隙間に、金属鋸等の切断工具を挿入してロック片を切断することによっても、ロック機構によるロックを解除することができる。
【０００９】
このように、ロック機構によるロックが解除されてしまうと、基板ケースあるいはＲＯＭ自体を交換することが可能となってしまい、遊技店の利益が不正に害されて、健全な遊技を行わせることができなくなってしまう。
【００１０】
本発明は、上述した事情に鑑みなされたもので、電子部品が実装された電子回路基板を収納する基板ケースを遊技機に取り付けてロックするとともに、ロックの不正解除を不能とすることにより、不正に基板ケースが着脱されることを防止して、健全な遊技を行わせることが可能な遊技機の基板ケースのロック機構を提供することを目的とする。
【００１１】
【課題を解決するための手段】
本発明は、上述した目的を達成するため、以下の特徴点を備えている。
【００１２】
すなわち、電子部品が実装された電子回路基板を収納する基板ケースを遊技機筺体に取り付けてロックするためのロック機構は、前記基板ケースの両端部をそれぞれ遊技機筺体に固定するための第１の固定装置および第２の固定装置とを備えている。
【００１３】
前記第１の固定装置は、遊技機筺体に固定され前記基板ケースの一端部を裏面側から支持するための第１の固定具と、該第１の固定具の一端に回動可能に支持され、この支持部を中心に回動して前記第１の固定具上に支持された前記基板ケースの表面側に被さることにより、前記第１の固定具と協働して前記基板ケースを遊技機筺体に固定するための第２の固定具と、前記第１の固定具と前記第２の固定具との間に前記基板ケースの一端部を挟持した状態で、前記第１の固定具と前記第２の固定具とを互いにロックするためのロック片を有するロック装置とを備えている。
【００１４】
前記第１の固定具は、遊技機筺体に固定するためのベース部と、前記ロック装置のロック片が係止可能な第１の透孔を穿設された、該ベース部から立ち上がる第１の立ち上がり部とを備え、
前記第２の固定具は、前記第１の固定具の表面側に被さる被覆部と、該第１の固定具に被さった状態で前記第１の立ち上がり部の外側に位置するように該被覆部から立ち下がる立ち下がり部とを備えている。
【００１５】
前記ロック装置のロック片は、前記第２の固定具が前記第１の固定具に被さった状態で、前記第１の立ち上がり部の内側から前記第１の透孔内に向かって進退するように設けられている。
また、このロック装置は前記第２の固定具に取り付けられていることが好ましい。
【００１６】
このような構成とすることにより、第１の固定具と第２の固定具とにより基板ベースを挟み込むとともに、ロック装置のロック片を第１の固定具の第１の立ち上がり部に設けた第１の透孔に係止させてロックした場合に、第１の固定具に設けた立ち上がり部が、第２の固定具に設けた被覆部および立ち下がり部により覆われているので、第１の立ち上がり部と立ち下がり部との間にドライバや金属鋸等を差し込むことができない。このため、ロックが不正に解除されることがない。
【００１７】
また、前記第１の固定具には、この第１の固定具に前記第２の固定具が被さった状態で前記第２の固定具に設けられた立ち下がり部の外側に位置するように、前記ベース部から立ち上がる第２の立ち上がり部を設け、該第２の立ち上がり部には、前記第１の透孔と一連となって前記ロック装置のロック片が係止可能な第２の透孔を設け、前記第２の固定具に設けられた立ち下がり部には、前記第１の透孔および前記第２の透孔と一連となって、前記ロック装置のロック片が挿通可能な挿通孔を設けてもよい。
【００１８】
このような構成とすることにより、ロック装置のロック片が係止する第１の透孔が、第２の固定具に設けた立ち下がり部と第１の固定具に設けた第２の立ち上がり部とにより２重に保護されるので、ロックの不正解除がさらに困難となる。
【００１９】
また、前記ロック装置は、前記ロック片が前記第２の固定具の回動方向とほぼ直交する方向に回動し、前記第１の透孔と前記挿通孔と前記第２の透孔とに一連に挿通係止されることにより、前記第１の固定具と前記第２の固定具とを互いにロックするものであり、前記第２の透孔は、前記第１の透孔と比較して、前記ロック片の回動方向に沿った長さが短尺であることが好ましい。
【００２０】
このような構成とすることにより、ロック時において外部に露出した第２の透孔内にドライバや金属鋸等を挿入し難くなり、ロックの不正解除がさらに一層困難となる。
【００２１】
また、前記第２の固定装置は、前記基板ケースの他端部を表裏両面から支持することにより、前記基板ケースの他端部を遊技機筺体に固定するようにしてもよい。
【００２２】
このような構成とすることにより、基板ケースの他端部を遊技機筺体に容易に固定し、取りはずすことができる。
【００２３】
【発明の実施の形態】
以下、図面に基づいて、本発明に係るロック機構の実施形態の一例を説明する。
【００２４】
図１〜４は、本発明に係るロック機構の一実施形態を示すもので、図１は、基板ケースを取り付けた状態のロック機構の正面図、図２は、第１の固定装置の正面図、図３は、第１の固定装置の斜視図、図４は、基板ケースを取り付けた状態の第１の固定装置の斜視図である。また、図５は、本発明に係るロック機構を応用したスロットマシン（以下の実施形態の説明においては、いわゆるパチスロ遊技機を指称するものとする）を示し、図５（ａ）は、スロットマシンの斜視図、図５（ｂ）は、スロットマシンの筺体内部を示した正面図である。
【００２５】
＜スロットマシン（パチスロ遊技機）＞
本発明に係るロック機構10は、スロットマシン80やパチンコ機のように、その遊技を電気的に制御するための制御装置を収納した基板ケースを備えた遊技機に使用される。以下、代表的な遊技機としてスロットマシン80を例にとって説明を行う。
【００２６】
本発明に係るロック機構10を応用するスロットマシン80は、図５（ａ）に示すように、前面に開閉可能な前面扉100を有する筺体90を備えている。前面扉100には、その前面のほぼ中央より上部に表示窓110を設け、各表示窓110には、筺体90の内部に配置した３個のリール120の外周表面がそれぞれ臨んでいる。
【００２７】
前記した表示窓110の下方の前面扉100の前面には、遊技に供する遊技メダルを投入するためのメダル投入口130と、遊技メダルの投入を条件として各リール120の回転を開始させるためのスタートスイッチ140と、各リール120に個別に対応して各リール120の回転を停止させるための３個のストップスイッチ150が設けられている。
【００２８】
さらに、前面扉100の下部には、賞として払い出された遊技メダルを受け入れるためのメダル受皿160を設けるとともに、メダル受皿160に臨むようにして、メダル払出口170が設けられている。
【００２９】
前記した筺体90の内部には、図５（ｂ）に示すように、各表示窓110に外周表面を臨ませる位置に、それぞれリール120を回転可能に配置し、メダル払出口170に連通する位置に、賞としての遊技メダルを払い出すためのホッパ180が配置されている。
【００３０】
また、筺体90の内部には、リール120の上方に位置するように、スロットマシン80を電気的に制御するための制御装置を有する基板ケース20が、第１の固定装置30および第２の固定装置40を備えたロック機構10により取り付けられている。
【００３１】
＜基板ケース＞
前記した基板ケース20は、図１に示すように、電子部品が実装された電子回路基板21と、電子回路基板21を覆うカバー部材22とからなり、電子回路基板21の左右の端部には、電子回路基板21とスロットマシン80の電気部品とを接続するための複数のコネクタ24a,b,cが設けられている。
【００３２】
前記したカバー部材22は、例えば、透明なプラスチック等により形成されており、その表面には、複数の放熱孔23が穿設されている。このカバー部材22と電子回路基板21とは、両者が一体となった状態でシール等の封印部材（図示せず）により封印されている。
【００３３】
前記した基板ケース20は、図１に示すように、左右の両端部をそれぞれ第１の固定装置30および第２の固定装置40により固定することにより、遊技機に固定されている。
【００３４】
＜第１の固定装置＞
前記した第１の固定装置30は、図１〜４に示すように、基板ケース20の右端部を遊技機に固定するための装置で、遊技機に固定され基板ケース20の右端部を裏面側から支持する第１の固定具50と、この第１の固定具50の下端部に回動可能に支持され、この支持部65を中心に回動して第１の固定具50上に支持された基板ケース20の表面側に被さることにより、第１の固定具50と対向し、協働して基板ケース20を遊技機に固定するための第２の固定具60とを備えている。
【００３５】
また、第２の固定具60には、第１の固定具50と第２の固定具60とにより基板ケース20の右端部を挟み込んだ状態で、第１の固定具50と第２の固定具60とをロックするためのロック装置70を備えている。
【００３６】
このロック装置70は、後に詳述するようにキーシリンダ71からなり、キーシリンダ71の回転に伴って回転するロック片72を備えている。
【００３７】
＜第１の固定具＞
前記した第１の固定具50は、図２〜４に示すように、遊技機に固定するためのベース部51と、このベース部51から立ち上がる第１の立ち上がり部54と、この第１の立ち上がり部54よりも外側に位置するようにして、ベース部51の右端から立ち上がる第２の立ち上がり部57と、ベース部51の上下端からそれぞれ立ち上がって、基板ケース20の上下の外側面に当接することにより基板ケース20を上下方向から挟み込んで支持するための一対の支持片56a,bを備えている。
【００３８】
前記したベース部51の左側には、図２，３に示すように、基板ケース20の裏面側に向かって断面Ｌ字状の取付ベース52が延設されている。前記したベース部51が基板ケース20の裏面側に当接することにより基板ケース20を背面側から支持するとともに、取付ベース52に設けたネジ孔53a,bにネジを挿通して、ネジの先端部を遊技機の筺体90や裏機構盤等にねじ込むことにより、第１の固定具50が遊技機に固定される。
【００３９】
前記した第１の立ち上がり部54には、図２〜４に示すように、ロック装置70のロック片72が係止可能な第１の透孔55が設けられている。また、第２の立ち上がり部57には、第１の透孔55と一連となってロック装置70のロック片72が係止可能な第２の透孔58が設けられている。
【００４０】
この第１の透孔55は、図３に示すように、下端側の幅が上端側に比較して広くなっており、長さ方向の中間部で下端側から上端側に向かって縮径している。また、図示しないが、第２の透孔58も同様の構成となっている。このような構成とすることにより、各透孔55,58にロック片72が進入してくる際に、第１の固定具50と第２の固定具60との間に多少のがたつきがあったとしても、ロック片72を容易に進入させることができるとともに、ロック位置では確実にロックを行うことができる。
【００４１】
また、第２の透孔58は、図２に示すように、第１の透孔55と比較して、その長さが短尺となっている。すなわち、第２の透孔58の下端部が、第１の透孔55の下端部よりも上方に位置するようにして第２の透孔58が設けられている。このように第２の透孔58の長さを短くすることができるのは、ロック装置70が第１の透孔55よりも内側に位置しており、ロック片72の回動軌跡上では第１の透孔55よりも第２の透孔58が外側にあるためである。また、このように第２の透孔58を第１の透孔55よりも短尺とすることにより、外側に位置する第２の透孔58内にドライバ等を挿入し難くなり、不正にロックが解除されることをより効果的に防止することができる。
【００４２】
＜第２の固定具＞
前記した第２の固定具60は、図２〜４に示すように、第１の固定具50の前面側に被さる被覆部61と、この被覆部61の右端から、第１の立ち上がり部54と第２の立ち上がり部57との間に位置するようにして立ち下がる立ち下がり部62と、この立ち下がり部62と対向するようにして被覆部61の内側端から立ち下がった対向片64と、被覆部61から左側に向かって延設された一対の押さえ片66a,bとを備えている。また、第２の固定具60は、その下端側が第１の固定具50の下端側に回動可能に支持されており、この支持部65を中心として上下方向に回動することができる。
【００４３】
前記した対向片64が基板ケース20の右端部に当接することにより、基板ケース20を右端側から支持するとともに、一対の押さえ片66a,bが基板ケース20の右端部の表面側に当接することにより、基板ケース20を表面側から支持する。
【００４４】
また、対向片64の自由端側には係合片67が延設されており、第１の固定具50のベース部51には、この係合片67が係合するための係合溝59が設けられている。したがって、第２の固定具60が上方に向かって回動し対向片64がベース部51に当接すると、係合溝59内に係合片67が係合して第２の固定具60のがたつきを防止することができる。
【００４５】
前記した立ち下がり部62には、第１の透孔55および第２の透孔58と一連となって、ロック装置70のロック片72が挿通可能な挿通孔63が設けられている。
【００４６】
＜ロック装置＞
前記したロック装置70は、図１〜４に示すように、ロック片72を有するキーシリンダ71からなる。このロック装置70は、キー溝73が第２の固定具60の被覆部61の表面側に位置するようにして、被覆部61に穿設した取付孔（図示せず）にキーシリンダ71を挿通し、キーシリンダ71を回転可能に支持する本体の外周に設けたネジ溝（図示せず）に、被覆部61の裏面側からナット74を取り付けることにより、第２の固定具60に取り付けられている。
【００４７】
前記したロック片72は、キーシリンダ71の回転に伴って、第１の立ち上がり部54の内側から第１の透孔55、挿通孔63、第２の透孔58に向かって回動するように設けられており、ロック片72が第１の透孔55、挿通孔63、第２の透孔58内に進入することにより、第１の固定具50と第２の固定具60とを一体とした状態でロックすることができる。一方、キーシリンダ71を反対方向に回転させて、第２の透孔58、挿通孔63、第１の透孔55内からロック片72を退出させることにより、第１の固定具50と第２の固定具60とのロックを解除することができる。
【００４８】
なお、前記したロック装置70は、キー溝73内にキー（図示せず）を差し込んでキーシリンダ71を回転させることにより、ロックおよびその解除を行うようになっている。
【００４９】
＜第２の固定装置＞
前記した第２の固定装置40は、図１に示すように、基板ケース20の左端部を表裏両面から挟持することにより、基板ケース20の左端部を遊技機に固定するための装置である。
【００５０】
この第２の固定装置40は、遊技機に固定されたベース部44から立ち上がるとともに、立ち上がり先端から第１の固定装置30に向かって延設された複数の上側挟持片41a,bと、ベース部44から立ち下がるとともに、立ち下がり先端から第１の固定装置30に向かって延設された複数の下側挟持片42a,b,cとを備えており、この上側挟持片41a,bと下側挟持片42a,b,cとの間に基板ケース20の左端部を差し込むことにより、基板ケース20の左端部を遊技機に固定することができる。
【００５１】
また、第２の固定装置40のベース部44には、その上下端からそれぞれ立ち上がって、基板ケース20の上下の外側面に当接することにより基板ケース20を上下方向から挟み込んで支持するための一対の支持片43a,bを備えている。なお、これらの支持片43a,bは、第２の固定装置40とは別体として設けてもよい。
【００５２】
＜ロック機構の使用方法＞
上述したロック機構10を用いて基板ケース20を遊技機に固定してロックするには、まず、第１の固定装置30において、第１の固定具50と第２の固定具60とのロックを解除し、第２の固定具60を下側に回動させた状態としておく。
【００５３】
つぎに、基板ケース20の左端部を第２の固定装置40の上側挟持片41a,bおよび下側挟持片42a,b,cにより表裏側から挟み込んで支持するとともに、上下一対の支持片43a,bにより基板ケース20の上下の側面を支持する。このようにして、第２の固定装置40により基板ケース20の左端部を固定する。
【００５４】
そして、基板ケース20の右端部を第１の固定具50上に載置し、上下一対の支持片56a,bにより基板ケース20の上下の側面を支持する。
【００５５】
さらに、第２の固定具60を上方に向かって回動させて、第１の固定具50上に支持された基板ケース20の表面側に被せると、一対の押さえ片66a,bが基板ケース20の右端部の表面側に当接して、第１の固定装置30により基板ケース20の右端部を固定することができる。
【００５６】
この状態で、キーシリンダ71のキー溝73にキーを差し込んでキーシリンダ71を回転させ、第１の立ち上がり部54の第１の透孔55、立ち下がり部62の挿通孔63、第２の立ち上がり部57の第２の透孔58にロック片72を進入させることにより、第１の固定具50と第２の固定具60とが一体になった状態で両者をロックする。
【００５７】
このようなロック状態においては、第１の透孔55を有する第１の立ち上がり部54は、被覆部61および立ち下がり部62により覆われており、第１の立ち上がり部54と立ち下がり部62との間に隙間が生じない。さらに、立ち下がり部62の外側には第２の立ち上がり部57が位置しており、立ち下がり部62を外側に向かってこじ開けることが困難となる。
【００５８】
なお、上述した実施形態では、第１の固定具50において、第１の立ち上がり部54および第２の立ち上がり部57の二つの立ち上がり部を設けるとともに、各立ち上がり部54,57にそれぞれ透孔55,58を設けているが、本発明に係るロック機構10では、少なくとも第１の透孔55を有する第１の立ち上がり部54を設ければよい。すなわち、第２の立ち上がり部57を設けることなく、第１の透孔55を有する第１の立ち上がり部54のみを設けてもよく、さらに第２の立ち上がり部57を設けた場合であっても、この第２の立ち上がり部57に第２の透孔58を設けなくともよい。さらに、このように構成した場合には、第２の固定具60の立ち下がり部62に挿通孔63を設けなくともよい。
【００５９】
また、ロック装置70を、ロック片72が回動するキーシリンダ71により構成しているが、ロック装置70は他の構成からなるものであってもよく、例えば、第２の固定具60に取り付けられて、第１の立ち上がり部54の内側から、第１の透孔55、挿通孔63、第２の透孔58へ向かって往復動して進退するロック片を有するシリンダ錠であってもよい。
【００６０】
また、第２の固定装置40において、上側挟持片41a,bと下側挟持片42a,b,cとを設けているが、第２の固定装置40は他の構成からなるものであってもよく、例えば、上側挟持片41a,bのみを設けて、基板ケース20の裏面をベース部44により支持し、上側挟持片41a,bとベース部44との間に基板ケース20の左端部を差し込むことにより、基板ケース20の左端部を遊技機に固定してもよい。また、上側挟持片41a,bと下側挟持片42a,b,cを複数に分割して構成するのではなく、各挟持片を一連となるように構成してもよい。
【００６１】
さらに、第１の固定装置30と第２の固定装置40とを別体として設けているが、両者を一体として構成してもよく、例えば、第１の固定具50のベース部51と第２の固定装置40のベース部44とを一体とすることにより、第１の固定装置30と第２の固定装置40とを一体に構成することができる。
【００６２】
なお、第２の固定装置40としては、上記実施形態のものに限られるものではなく、基板ケース20の他端部を遊技機筐体90に固定することができるものであればよいのであって、例えば基板ケース20と係合し得るような遊技機筐体90に設けられた係合部や、基板ケース20を遊技機筐体90に取り付けるためのネジ等であってもよい。
【００６３】
【発明の効果】
本発明は、前記した構成を有するので、以下に示すような効果を奏する。
【００６４】
本発明に係るロック機構によれば、第１の固定具と第２の固定具とにより基板ケースを挟み込んで固定するとともに、ロック装置のロック片を第１の固定具の第１の立ち上がり部に設けた第１の透孔に係止させてロックしている。このロック状態において、第１の固定具に設けた第１の立ち上がり部は、第２の固定具に設けた被覆部および立ち下がり部により覆われている。
【００６５】
したがって、立ち下がり部と、第１の透孔を設けた第１の立ち上がり部との間に隙間が生じることがないので、ドライバや金属鋸等を差し込むことができない。このため、第１の立ち上がり部を折り曲げてロック片の係止を解除したり、金属鋸によりロック片を切断することができないので、ロックが不正に解除されることがなく、基板ケースの不正交換を防止することができる。
【００６６】
また、ロック装置のロック片が係止する第１の立ち上がり部に設けた第１の透孔は、第２の固定具に設けた立ち下がり部と第１の固定具に設けた第２の立ち上がり部とにより左右から挟み込まれている。
【００６７】
したがって、第１の透孔が、立ち下がり部および第２の立ち上がり部により２重に保護されているので、立ち下がり部を外側に向かってこじ開けることが困難となり、ロックの不正解除がさらに困難となる。
【００６８】
また、第１の固定装置において外側に位置する第２の透孔の長さを、第１の透孔の長さよりも短くしている。
したがって、第２の透孔内にドライバや金属鋸等を挿入し難くなり、ロックの不正解除がさらに一層困難となる。
【００６９】
また、第２の固定装置は、基板ケースの他端部を表裏両面から挟持することにより、基板ケースの他端部を遊技機に固定している。
したがって、基板ケースの他端部をさらに容易に遊技機に固定することができる。
【図面の簡単な説明】
【図１】基板ケースを取り付けた状態のロック機構の正面図
【図２】第１の固定装置の正面図
【図３】第１の固定装置の斜視図
【図４】基板ケースを取り付けた状態の第１の固定装置の斜視図
【図５】本発明に係るロック機構を応用したスロットマシンを示し、図５（ａ）は、スロットマシンの斜視図、図５（ｂ）は、スロットマシンの内部を示す正面図
【符号の説明】
10  ロック機構
20  基板ケース
21  電子回路基板
22  カバー部材
23  放熱孔
24  コネクタ
30  第１の固定装置
40  第２の固定装置
41  上側挟持片
42  下側挟持片
43  支持片
44  ベース部
50  第１の固定具
51  ベース部
52  取付ベース
53  ネジ孔
54  第１の立ち上がり部
55  第１の透孔
56  支持片
57  第２の立ち上がり部
58  第２の透孔
59  係合溝
60  第２の固定具
61  被覆部
62  立ち下がり部
63  挿通孔
64  対向片
65  支持部
66  押さえ片
67  係合片
70  ロック装置
71  キーシリンダ
72  ロック片
73  キー溝
74  ナット
80  スロットマシン
90  筺体
100  前面扉
110  表示窓
120  リール
130  メダル投入口
140  スタートスイッチ
150  ストップスイッチ
160  メダル受皿
170  メダル払出口
180  ホッパ
【図１】
0003703636.tif 000002
【図２】
0003703636.tif 000003
【図３】
0003703636.tif 000004
【図４】
0003703636.tif 000005
【図５】
0003703636.tif 000006